(57)【特許請求の範囲】
【請求項１】
発熱体収納函内の内気の熱を発熱体収納函外の外気の熱と熱交換させる熱交換手段と、前記発熱体収納函内の内気を取り込み前記熱交換手段で熱交換させて前記発熱体収納函内に循環送風する内気循環風路と、この内気を循環送風させる内気循環送風手段と、前記発熱体収納函外の外気を取り込み前記熱交換手段で前記発熱体収納函内の内気の熱と熱交換させて前記発熱体収納函外に循環送風する外気循環風路と、この外気を循環送風させる外気循環送風手段と、前記内気循環風路に備えて前記発熱体収納函を暖める電気ヒーターと、前記内気循環送風手段と前記外気循環送風手段を動作させる制御装置を備え、前記内気循環送風手段と外気循環送風手段の動力とする外部直流電源と前記電気ヒーターの電源である外部交流電源と、前記外部交流電源に接続され複数のタップを有する商用電源トランスと、前記商用電源トランスから得られる直流電圧出力を前記外部直流電源の電源系統電圧に合致させるように前記複数のタップを切替えるタップ切替手段とを備えた発熱体収納函冷却装置用加熱装置の交流直流変換回路において、前記外部直流電源は、正極側電位が大地アースに接続された接地相となる高圧の電源系統電圧と負極側電位が大地アースに接続された接地相となる低圧の電源系統電圧の一方を備えたものであって、前記制御装置は、大地アースと正極側電位または負極側電位を検出することによって、前記外部直流電源の電源系統電圧を判断し、タップ切替手段を動作させることを特徴とする発熱体収納函冷却装置用加熱装置の交流直流変換回路。
【請求項２】
商用電源トランスの１次巻線に設けたタップに接続したタップ切替え手段の複数のスイッチ素子を動作させることを特徴とする請求項１記載の発熱体収納函冷却装置用加熱装置の交流直流変換回路。
【請求項３】
商用電源トランスの２次巻線に設けたタップに接続したタップ切替え手段の複数のスイッチ素子を動作させることを特徴とする請求項１記載の発熱体収納函冷却装置用加熱装置の交流直流変換回路。
【請求項４】
内気循環送風手段であるファンモーターの回転数を検知する回転数検知手段を備え、外部直流電源の供給がなく、内気循環送風手段の動力を外部交流電源により供給する際に、タップ切替手段をタップ付き商用電源トランスの出力が低圧側となるように設定しておき、前記内気循環送風手段の前記回転数検知手段により検知された回転数が所望の回転数に達しない場合に、前記外部直流電源の電源系統電圧が高圧側であると判断し、前記タップ切替手段を前記タップ付き商用電源トランスの出力が高圧側となるように切替えることを特徴とする請求項１乃至３のいずれか一つに記載の発熱体収納函冷却装置用加熱装置の交流直流変換回路。
【請求項５】
内気循環送風手段の入力部に直列に接続した電流検出手段を備え、外部直流電源の供給がなく、前記内気循環送風手段の動力を外部交流電源により供給する際に、タップ切替手段をタップ付き商用電源トランスの出力が低圧側となるように設定しておき、前記電流検出手段により検出された電流値が所望の値に達しない場合に、前記外部直流電源の電源系統電圧が高圧側であると判断し、前記タップ切替手段を前記タップ付き商用電源トランスの
出力が高圧側となるように切替えることを特徴とする請求項１乃至３のいずれか一つに記載の発熱体収納函冷却装置用加熱装置の交流直流変換回路。
【請求項６】
内気循環風路内に循環される内気の温度を検出する温度検出手段を備え、外部直流電源の供給がなく、発熱体収納函を暖める電気ヒーターへ前記外部交流電源を通電し前記内気循環送風手段の動力を外部交流電源により供給する際に、タップ切替手段をタップ付き商用電源トランスの出力が低圧側となるように設定しておき、前記温度検出手段により検出された温度が所望の温度以下となった場合に、前記外部直流電源の電源系統電圧が高圧側であると判断し、前記タップ切替手段を前記タップ付き商用電源トランスの出力が高圧側となるように切替えることを特徴とする請求項１乃至３のいずれか一つに記載の発熱体収納函冷却装置用加熱装置の交流直流変換回路。
【請求項７】
外部直流電源を内気循環送風手段および外気循環送風手段に印加するための電源入切手段を設け、前記外部直流電源の入力電圧を検出する入力電圧検出手段により前記外部直流電源の電源系統電圧を一旦判断した後に、前記外部直流電源の入力電圧が予め設定したこの外部直流電源の電源系統電圧と合致しなくなった場合に、前記電源入切手段を開放し、前記内気循環送風手段および前記外気循環送風手段への動力を外部交流電源により供給するようにしたことを特徴とする請求項１または２乃至６のいずれか一つに記載の発熱体収納函冷却装置用加熱装置の交流直流変換回路。
【請求項８】
外部直流電源を内気循環送風手段および外気循環送風手段に印加するための電源入切手段を設け、外部直流電源の正極側電位と接地間の電位差を検出する正極側対地間電圧検出手段と、前記外部直流電源の負極側電位と接地間の電位差を検出する負極側対地間電圧検出手段により、前記外部直流電源の電源系統電圧を一旦判断し、前記外部直流電源の入力電圧が予め設定した外部直流電源の電源系統電圧と合致しなくなった場合に、前記電源入切手段を開放し、前記内気循環送風手段および前記外気循環送風手段への動力を、タップ付き商用電源トランスの出力が一旦判断した前記外部直流電源の電源系統電圧となるようにタップ切替手段を切替えて、外部交流電源により供給するようにしたことを特徴とする請求項７記載の発熱体収納函冷却装置用加熱装置の交流直流変換回路。
【請求項９】
前記外部電源電圧の電源系統電圧を判断した結果を報知するための発光表示手段または音声発生手段を備えたことを特徴とする請求項１乃至８のいずれか一つに記載の発熱体収納函冷却装置用加熱装置の交流直流変換回路。
【請求項１０】
前記外部電源電圧の電源系統電圧を判断した結果を遠隔監視するオペレーションセンターに報知する通信手段を備えたことを特徴とする請求項１乃至９のいずれか一つに記載の発熱体収納函冷却装置用加熱装置の交流直流変換回路。
【発明の詳細な説明】
【技術分野】
【０００１】
本発明は、屋外に設置される函体構造物で内部に発熱体を有し、その発熱量が多く冬季においても冷却を有し、また、温度により性能、寿命に大きく影響を受けるような精密な機器を有する函に関し、特にその発熱体収納函冷却装置用加熱装置の交流直流変換回路に関する。
【背景技術】
【０００２】
従来、この種の発熱体収納函冷却装置用加熱装置の交流直流変換回路に用いられる回路として、発熱体収納函冷却装置より供給される主電源である外部直流電源と同一系統（例えばＤＣ２４ＶやＤＣ４８Ｖ）となるように予め設計された商用電源トランスを用いたものが知られている（例えば、非特許文献１参照）。
【０００３】
以下、その回路提案に基づいた発熱体収納函冷却装置用加熱装置の交流直流変換回路について図１８、図１９および図２０を参照しながら説明する。
【０００４】
図に示すように、発熱体収納函１０１を冷却する冷却装置１０２は前記発熱体収納函１０１内の空気（以下、内気と称す）の熱と前記発熱体収納函１０１外の空気（以下、外気と称す）の熱とを熱交換する熱交換手段としての熱交換器１０３と前記発熱体収納函１０１の内気を取り込み前記熱交換器１０３で外気と熱交換させ発熱体収納函１０１内に送風する内気循環風路１０４と、内気を送風させる内気循環送風手段としての内気用ファンモーター１０５を備え、前記発熱体収納函１０１の外気を取り込み前記熱交換器１０３で内気と熱交換して前記発熱体収納函１０１外に送風する外気循環風路と、外気を循環送風させる外気循環送風手段としての外気用ファンモーター１０６と、前記内気用ファンモーター１０５および外気用ファンモーター１０６を動作する制御装置１０７を備え、前記冷却装置１０２の主電源である外部直流電源１０８が前記発熱体収納函１０１より供給され、前記内気用ファンモーター１０５および前記外気用ファンモーター１０６の動力として、第１の逆流防止素子１０９を介して前記内気用ファンモーター１０５および前記外気用ファンモーター１０６に接続されている。
【０００５】
また、発熱体収納函冷却装置用加熱装置１１０は、前記発熱体収納函１０１の内気を暖める電気ヒーター１１１を前記内気循環風路１０４に備え、前記発熱体収納函１０１より供給される外部交流電源１１２に前記制御装置１０７により駆動するリレー１１３の接点を介して電気ヒーター１１１が接続され、前記外部交流電源１１２を交流直流変換手段として商用電源トランス１１４に入力し、この商用電源トランス１１４の出力を、ダイオードブリッジ１１５を介して平滑コンデンサー１１６に接続し、整流平滑された直流電圧Ｖ２となり第２の逆流防止素子１１７を介して前記内気用ファンモーター１０５および前記外気用ファンモーター１０６に接続されている。
【０００６】
ここで、前記直流電圧Ｖ２が前記外部直流電源１０８の入力直流電圧Ｖ１の電源系統電圧（例えば、ＤＣ２４ＶやＤＣ４８Ｖ）と同一となるように前記商用電源トランス１１４の出力電圧が設定されたものを用いている。
【０００７】
上記構成により、発熱体収納函１０１内に実装された機器（図示せず）を安定動作させるなどのために発熱体収納函１０１内を暖める必要が生じた際には、リレー１１３の接点を閉じて前記電気ヒーター１１１に前記外部交流電源１１２の電圧を印加し、この電気ヒーター１１１を発熱させるとともに前記内気用ファンモーター１０５を駆動し、内気循環風路１０４に流れる発熱体収納函１０１の暖められた内気をこの発熱体収納函１０１内に送風し、この発熱体収納函１０１を暖める。この時、外気用ファンモーター１０６は停止させておき、前記発熱体収納函１０１の内気が熱交換素子１０３を介して発熱体収納函１０１の外気と無用に熱交換しないようにしておく。
【０００８】
また、主電源である前記外部直流電源１０８が供給されない場合でも、前記直流電源Ｖ２を動力として前記内気用ファンモーター１０５を駆動し、前記発熱体収納函１０１を暖めることもできる。
【０００９】
このように、前記発熱体収納函１０１を暖める場合に、前記外部直流電１０８が供給されなくても、この外部直流電源１０８と同一の電源系統電圧となるように予め設定された商用電源トランス１１４を用いることで内気用ファンモーター１０５に外部直流電源１０８と同一の直流電圧が印加されるので、前記内気用ファンモーター１０５は外部直流電源１０８が印加された際の回転数と同様な回転数で動作している。
【先行技術文献】
【非特許文献】
【００１０】
【非特許文献１】戸川治朗著「トランジスタ技術１９８７年３月号：特集：電源回路実用設計マニュアル」ＣＱ出版社、昭和６２年３月１日発行
【発明の概要】
【発明が解決しようとする課題】
【００１１】
このような従来の発熱体収納函冷却装置用加熱装置の交流直流変換回路では、発熱体収納函より供給される外部直流電源には複数の電源系統電圧（例えば、ＤＣ２４Ｖ、ＤＣ４８Ｖ）が存在するので、この電源系統電圧毎に発熱体収納函冷却装置用加熱装置を準備する必要があり、サービスメンテナンス時を考慮すると保管などのスペースに場所を取るという課題があった。
【００１２】
また、設置時やサービスメンテナンス時に発熱体収納函より供給される外部直流電源の電源系統電圧に合わせた発熱体収納函冷却装置用加熱装置を取り付ける必要があり、取り付け間違いによる作業のやり直しや異電圧による装置故障などの課題があった。
【００１３】
さらに、上記課題を回避するためには設置時やサービスメンテナンス時の作業者は電源系統電圧を確認するなどの作業工数も発生し、作業効率の向上も課題であった。
【００１４】
また、発熱体収納函冷却装置用加熱装置後の正常動作を設置時やサービスメンテナンス時の作業者が容易に確認したいという課題があり、外部交流電源を交流直流手段により変圧、整流、平滑される直流電圧を外部直流電源の電源系統電圧に応じて自動的に切替る発熱体収納函冷却装置用加熱装置の提供が要求されている。
【００１５】
また、設置後の外部直流電源の電圧が想定されている電源系統電圧を外れたり、前記外部直流電源の接地相が結線故障などにより接地電位より浮いてしまうという異常電圧の課題があり、前記の異常電圧時に速やかに異常を検出すると共に前記直流電源を動力から切り離し、発熱体収納函より供給される外部交流電源を変圧平滑した直流電圧により循環送風手段を動作させることが要求されている。
【００１６】
また、発熱体収納函冷却装置用加熱装置後の正常動作を、例えば携帯電話基地局のオペレーションセンターの様な遠隔地では判らないという課題があり、遠隔地にて正常動作を確認できることが要求されている。
【００１７】
本発明は、このような従来の課題を解決するものであり、外部直流電源の複数の電源系統電圧毎に対応するためにこの電源系統電圧を自動的に判断できるので、前記電源系統電圧毎に発熱体収納函冷却装置用加熱装置を準備することが不要とでき、取り付け間違いのない、取り付け作業前の電源系統電圧を確認することの不要とでき、正常動作を認知させることができ、遠隔地にて正常動作を確認できる発熱体収納函冷却装置用加熱装置の交流直流変換回路を提供することを目的としている。
【課題を解決するための手段】
【００１８】
本発明の発熱体収納函冷却装置は、上記目的を達成するために、発熱体収納函内の内気の熱を発熱体収納函外の外気の熱と熱交換させる熱交換手段と、前記発熱体収納函内の内気を取り込み前記熱交換手段で熱交換させて前記発熱体収納函内に循環送風する内気循環風路と、この内気を循環送風させる内気循環送風手段と、前記発熱体収納函外の外気を取り込み前記熱交換手段で前記発熱体収納函内の内気の熱と熱交換させて前記発熱体収納函外に循環送風する外気循環風路と、この外気を循環送風させる外気循環送風手段と、前記内気循環風路に備えて前記発熱体収納函を暖める電気ヒーターと、前記内気循環送風手段と前記外気循環送風手段を動作させる制御装置を備え、前記内気循環送風手段と外気循環送風手段の動力とする外部直流電源と前記電気ヒーターの電源である外部交流電源と、前記外部交流電源に接続され複数のタップを有する商用電源トランスと、前記商用電源トランスから得られる直流電圧出力を前記外部直流電源の電源系統電圧に合致させるように前記複数のタップを切替えるタップ切替手段とを備えた発熱体収納函冷却装置用加熱装置の交流直流変換回路において、前記外部直流電源は、正極側電位が大地アースに接続された接地相となる高圧の電源系統電圧と負極側電位が大地アースに接続された接地相となる低圧の電源系統電圧の一方を備えたものであって、前記制御装置は、大地アースと正極側電位または負極側電位を検出することによって、前記外部直流電源の電源系統電圧を判断し、タップ切替手段を動作させることを特徴とするものである。
【００１９】
この手段により、制御装置は、外部直流電源の入力電圧の電源系統電圧を判断することによりタップ付き商用電源トランスのタップ切替えを自動的に行い、発熱体収納函を暖める場合に、前記外部直流電が供給されない場合でも、内気循環送風手段に外部直流電源の電源系統電圧と同一電圧範囲の直流電圧が印加され、前記内気循環送風手段は外部直流電源が印加された際の動作を確保させることができる発熱体収納函冷却装置用加熱装置の交流直流変換回路が得られる。
【００２０】
また、他の手段は、商用電源トランスの１次巻線に設けたタップに接続したタップ切替え手段の複数のスイッチ素子を動作させることを特徴とするものである。
【００２１】
この手段により、１次巻線にタップを設けたタップ付き商用電源トランスを用いるので、電流容量の少ないタップ切替え手段を使用してタップ切替えを自動的に行えるので、発熱体収納函を暖める場合に、前記外部直流電が供給されなくても、内気循環送風手段に外部直流電源の電源系統電圧と同一電圧範囲の直流電圧が印加され、前記内気循環送風手段は外部直流電源が印加された際の動作を確保させることができる発熱体収納函冷却装置用加熱装置の交流直流変換回路が得られる。
【００２２】
また、他の手段は、商用電源トランスの２次巻線に設けたタップに接続したタップ切替え手段の複数のスイッチ素子を動作させることを特徴とするものである。
【００２３】
この手段により、２次巻線にタップを設けたタップ付き商用電源トランスを用いるので、耐電圧の小さいタップ切替え手段を使用してタップ切替えを自動的に行えるので、発熱体収納函を暖める場合に、前記外部直流電が供給されなくても、内気循環送風手段に外部直流電源の電源系統電圧と同一電圧範囲の直流電圧が印加され、前記内気循環送風手段は外部直流電源が印加された際の動作を確保させることができる発熱体収納函冷却装置用加熱装置の交流直流変換回路が得られる。
【００２４】
また、他の手段は、内気循環送風手段であるファンモーターの回転数を検知する回転数検知手段を備え、外部直流電源の供給がなく、内気循環送風手段の動力を外部交流電源により供給する際に、タップ切替手段をタップ付き商用電源トランスの出力が低圧側となるように設定しておき、前記内気循環送風手段の前記回転数検知手段により検知された回転数が所望の回転数に達しない場合に、前記外部直流電源の電源系統電圧が高圧側であると判断し、前記タップ切替手段を前記タップ付き商用電源トランスの出力が高圧側となるように切替えることを特徴とするものである。
【００２５】
この手段により、回転数検知手段により検知した内気循環送風手段の回転数と予め設定した所望の回転数を比較し外部直流電源の電源系統電圧を判断することによりタップ付き商用電源トランスのタップ切替えを自動的に行うので、発熱体収納函を暖める場合に、前記外部直流電が供給されなくても、内気循環送風手段に外部直流電源の電源系統電圧と同一電圧範囲の直流電圧が印加され、前記内気循環送風手段は外部直流電源が印加された際の回転数と同様な回転数で動作させることができる発熱体収納函冷却装置用加熱装置の交流直流変換回路が得られる。
【００２６】
また、他の手段は、内気循環送風手段の入力部に直列に接続した電流検出手段を備え、外部直流電源の供給がなく、前記内気循環送風手段の動力を外部交流電源により供給する際に、タップ切替手段をタップ付き商用電源トランスの出力が低圧側となるように設定しておき、前記電流検出手段により検出された電流値が所望の値に達しない場合に、前記外部直流電源の電源系統電圧が高圧側であると判断し、前記タップ切替手段を前記タップ付き商用電源トランスの出力が高圧側となるように切替えることを特徴とするものである。
【００２７】
この手段により、電流検出手段により検出した内気循環送風手段に流れる電流値と予め設定した所望の値を比較し外部直流電源の電源系統電圧を判断することによりタップ付き商用電源トランスのタップ切替えを自動的に行うので、発熱体収納函を暖める場合に、前記外部直流電が供給されなくても、内気循環送風手段に外部直流電源の電源系統電圧と同一電圧範囲の直流電圧が印加され、前記内気循環送風手段は外部直流電源が印加された際の動作を確保させることができる発熱体収納函冷却装置用加熱装置の交流直流変換回路が得られる。
【００２８】
また、他の手段は、内気循環風路内に循環される内気の温度を検出する温度検出手段を備え、外部直流電源の供給がなく、発熱体収納函を暖める電気ヒーターへ前記外部交流電源を通電し前記内気循環送風手段の動力を外部交流電源により供給する際に、タップ切替手段をタップ付き商用電源トランスの出力が低圧側となるように設定しておき、前記温度検出手段により検出された温度が所望の温度以下となった場合に、前記外部直流電源の電源系統電圧が高圧側であると判断し、前記タップ切替手段を前記タップ付き商用電源トランスの出力が高圧側となるように切替えることを特徴とするものである。
【００２９】
この手段により、発熱体収納函を暖める際に、温度検出手段により検出した内気循環送風路内に流れる内気の温度と予め設定した温度と比較し外部直流電源の電源系統電圧を判断することによりタップ付き商用電源トランスのタップ切替えを自動的に行うので、前記外部直流電が供給されない場合でも、内気循環送風手段に外部直流電源の電源系統電圧と同一電圧範囲の直流電圧が印加され、前記内気循環送風手段は外部直流電源が印加された際の動作を確保させることができる発熱体収納函冷却装置用加熱装置の交流直流変換回路が得られる。
【００３０】
また、他の手段は、外部直流電源を内気循環送風手段および外気循環送風手段に印加するための電源入切手段を設け、前記外部直流電源の入力電圧を検出する入力電圧検出手段により前記外部直流電源の電源系統電圧を一旦判断した後に、前記外部直流電源の入力電圧が予め設定したこの外部直流電源の電源系統電圧と合致しなくなった場合に、前記電源入切手段を開放し、前記内気循環送風手段および前記外気循環送風手段への動力を外部交流電源により供給するようにしたことを特徴とするものである。
【００３１】
この手段により、入力電圧検出手段により外部直流電源の入力電圧を異常電圧と判断した場合、電源入切手段を開放させて内気循環送風手段および外気循環送風手段への前記外部直流電圧の印加を遮断し、前記入力電圧検出手段により検出した前記外部直流電源の入力電圧より一旦判断した電源系統電圧と合致させるようにタップ付き商用電源トランスのタップ切替えを自動的に行っていたことにより、前記外部直流電源の電源系統電圧と同一電圧範囲の直流電圧が前記内気循環送風手段および前記外気循環送風手段に印加され、前記内気循環送風手段および前記外気循環送風手段は前記外部直流電源が印加された際の動作を確保させることができる発熱体収納函冷却装置用加熱装置の交流直流変換回路が得られる。
【００３２】
また、他の手段は、外部直流電源を内気循環送風手段および外気循環送風手段に印加するための電源入切手段を設け、外部直流電源の正極側電位と接地間の電位差を検出する正極側対地間電圧検出手段と、前記外部直流電源の負極側電位と接地間の電位差を検出する負極側対地間電圧検出手段により、前記外部直流電源の電源系統電圧を一旦判断し、前記外部直流電源の入力電圧が予め設定した外部直流電源の電源系統電圧と合致しなくなった場合に、前記電源入切手段を開放し、前記内気循環送風手段および前記外気循環送風手段への動力を、タップ付き商用電源トランスの出力が一旦判断した前記外部直流電源の電源系統電圧となるようにタップ切替手段を切替えて、外部交流電源により供給するようにしたことを特徴とするものである。
【００３３】
この手段により、正極側対地間電圧検出手段および負極側対地間電圧検出手段により外部直流電源の入力電圧を異常電圧と判断した場合、電源入切手段を開放させて内気循環送風手段および外気循環送風手段への前記外部直流電圧の印加を遮断し、前記正極側対地間電圧検出手段および前記負極側対地間電圧検出手段により検出した前記外部直流電源の正極側電位と接地間の電位差および前記外部直流電源の負極側電位と接地間のより一旦判断した前記外部直流電圧の電源系統電圧と合致させるようにタップ付き商用電源トランスのタップ切替えを自動的に行っていたことにより、前記外部直流電源の電源系統電圧と同一電圧範囲の直流電圧が前記内気循環送風手段および前記外気循環送風手段に印加され、前記内気循環送風手段および前記外気循環送風手段は、前記外部直流電源が印加された際の動作を確保させることができる発熱体収納函冷却装置用加熱装置の交流直流変換回路が得られる。
【００３４】
また、他の手段は、前記外部電源電圧の電源系統電圧を判断した結果を報知するための発光表示手段または音声発生手段を備えたことを特徴とするものである。
【００３５】
この手段により、外部電源電圧の電源系統電圧を判断した結果あるいはこの外部電源電圧の異常電圧を発光表示手段あるいは音声発生手段で報知することができるので、設置業者やサービスマンが前記外部電源電圧の電源系統電圧やこの外部電源電圧の異常電圧であることを認識することにより、設置業者やサービスマンの修復作業などにより前記外部直流電が供給されない場合でも、内気循環送風手段に外部直流電源の電源系統電圧と同一電圧範囲の直流電圧が印加され、前記内気循環送風手段は外部直流電源が印加された際の動作を確保させることができる発熱体収納函冷却装置用加熱装置の交流直流変換回路が得られる。
【００３６】
また、他の手段は、前記外部電源電圧の電源系統電圧を判断した結果を遠隔監視するオペレーションセンターに報知する通信手段を備えたことを特徴とするものである。
【００３７】
この手段により、前記外部電源電圧の電源系統電圧を判断した結果あるいはこの外部電源電圧が異常電圧である情報を通信に載せることができるので、発熱体収納函の外部の遠隔地にて前記外部電源電圧の電源系統電圧やこの外部電源電圧の異常電圧であることを認識することすることにより、設置業者やサービスマンの修復作業などにより前記外部直流電が供給されない場合でも、内気循環送風手段に外部直流電源の電源系統電圧と同一電圧範囲の直流電圧が印加され、前記内気循環送風手段は外部直流電源が印加された際の動作を確保させることができる発熱体収納函冷却装置用加熱装置の交流直流変換回路が得られる。
【００３８】
本発明は、このような従来の課題を解決するものであり、外部直流電源の複数の電源系統電圧毎に対応するためにこの電源系統電圧を自動的に判断できるので、前記電源系統電圧毎に発熱体収納函冷却装置用加熱装置を準備することが不要とでき、取り付け間違いのない、取り付け作業前の電源系統電圧を確認することの不要とでき、外部直流電源の異常電圧時に内気循環送風手段および外気循環送風手段への外部直流電源の印加を遮断しながら外部交流電源にて前記内気循環送風手段および前記外気循環送風手段の動力とすることができ、正常動作を認知させることができ、遠隔地にて正常動作を確認できる発熱体収納函冷却装置用加熱装置の交流直流変換回路を提供することを目的としている。
【発明の効果】
【００３９】
本発明によれば、外部直流電源の複数の電源系統電圧毎に対応するためにこの電源系統電圧を自動的に判断できるので、前記電源系統電圧毎に発熱体収納函冷却装置用加熱装置を準備することが不要とでき、取り付け間違いのない、取り付け作業前の電源系統電圧を確認することの不要とでき、外部直流電源の異常電圧時に内気循環送風手段および外気循環送風手段への外部直流電源の印加を遮断しながら外部交流電源にて前記内気循環送風手段および前記外気循環送風手段の動力とすることができ、正常動作を認知させることができ、遠隔地にて正常動作を確認できる発熱体収納函冷却装置用加熱装置の交流直流変換回路を提供できる。
【図面の簡単な説明】
【００４０】
【図１】本発明の前提例１の発熱体収納函冷却装置の電気回路のブロック図
【図２】本発明の前提例１の入力電圧検出手段の構成を示す回路図
【図３】本発明の実施の形態１の発熱体収納函冷却装置の電気回路のブロック図
【図４】外部直流電源の接地相の接続を示す結線図
【図５】本発明の実施の形態１の正極側対地電圧検出手段の構成を示す回路図
【図６】本発明の実施の形態２の発熱体収納函冷却装置の電気回路のブロック図
【図７】本発明の実施の形態２の負極側対地電圧検出手段の構成を示す回路図
【図８】本発明の実施の形態３の発熱体収納函冷却装置の電気回路のブロック図
【図９】本発明の実施の形態４の発熱体収納函冷却装置の電気回路のブロック図
【図１０】本発明の実施の形態５の発熱体収納函冷却装置の電気回路のブロック図
【図１１】本発明の実施の形態５の発熱体収納函冷却装置の構成を示す構造図
【図１２】本発明の実施の形態５の温度検出手段の構成を示す回路図
【図１３】本発明の実施の形態６の発熱体収納函冷却装置の電気回路のブロック図
【図１４】本発明の実施の形態７の発熱体収納函冷却装置の電気回路のブロック図
【図１５】本発明の実施の形態７の負極側対地電圧検出手段の構成を示す回路図
【図１６】本発明の実施の形態８の発熱体収納函冷却装置の電気回路のブロック図
【図１７】本発明の実施の形態９の発熱体収納函冷却装置の電気回路のブロック図
【図１８】従来の発熱体収納函冷却装置の構成図
【図１９】従来の発熱体収納函冷却装置の構成を示す構造図
【図２０】従来の発熱体収納函冷却装置の電気回路を示すブロック図
【発明を実施するための形態】
【００４１】
本発明の請求項１記載の発明は、発熱体収納函内の内気の熱を発熱体収納函外の外気の熱と熱交換させる熱交換手段と、前記発熱体収納函内の内気を取り込み前記熱交換手段で熱交換させて前記発熱体収納函内に循環送風する内気循環風路と、この内気を循環送風させる内気循環送風手段と、前記発熱体収納函外の外気を取り込み前記熱交換手段で前記発熱体収納函内の内気の熱と熱交換させて前記発熱体収納函外に循環送風する外気循環風路と、この外気を循環送風させる外気循環送風手段と、前記内気循環風路に備えて前記発熱体収納函を暖める電気ヒーターと、前記内気循環送風手段と前記外気循環送風手段を動作させる制御装置を備え、前記内気循環送風手段と外気循環送風手段の動力とする外部直流電源と前記電気ヒーターの電源である外部交流電源と、前記外部交流電源に接続され複数のタップを有する商用電源トランスと、前記商用電源トランスから得られる直流電圧出力を前記外部直流電源の電源系統電圧に合致させるように前記複数のタップを切替えるタップ切替手段とを備えた発熱体収納函冷却装置用加熱装置の交流直流変換回路において、前記外部直流電源は、正極側電位が大地アースに接続された接地相となる高圧の電源系統電圧と負極側電位が大地アースに接続された接地相となる低圧の電源系統電圧の一方を備えたものであって、前記制御装置は、大地アースと正極側電位または負極側電位を検出することによって、前記外部直流電源の電源系統電圧を判断し、タップ切替手段を動作させることを特徴とするものであり、制御装置は、外部直流電源の電源系統電圧を判断することによりタップ付き商用電源トランスのタップ切替えを自動的に行い、発熱体収納函を暖める場合に、前記外部直流電が供給されない場合でも、内気循環送風手段に外部直流電源の電源系統電圧と同一電圧範囲の直流電圧が印加され、前記内気循環送風手段は外部直流電源が印加された際の動作を確保させることができるという作用を有する。
【００４２】
本発明の請求項２記載の発明は、商用電源トランスの１次巻線に設けたタップに接続したタップ切替え手段の複数のスイッチ素子を動作させることを特徴とするものであり、１次巻線にタップを設けたタップ付き商用電源トランスを用いるので、電流容量の少ないタップ切替え手段を使用してタップ切替えを自動的に行えるので、発熱体収納函を暖める場合に、前記外部直流電が供給されなくても、内気循環送風手段に外部直流電源の電源系統電圧と同一電圧範囲の直流電圧が印加され、前記内気循環送風手段は外部直流電源が印加された際の動作を確保させることができるという作用を有する。
【００４３】
本発明の請求項３記載の発明は、商用電源トランスの２次巻線に設けたタップに接続したタップ切替え手段の複数のスイッチ素子を動作させることを特徴とするものであり、２次巻線にタップを設けたタップ付き商用電源トランスを用いるので、耐電圧の小さいタップ切替え手段を使用してタップ切替えを自動的に行えるので、発熱体収納函を暖める場合に、前記外部直流電が供給されなくても、内気循環送風手段に外部直流電源の電源系統電圧と同一電圧範囲の直流電圧が印加され、前記内気循環送風手段は外部直流電源が印加された際の動作を確保させることができるという作用を有する。
【００４４】
本発明の請求項４記載の発明は、内気循環送風手段であるファンモーターの回転数を検知する回転数検知手段を備え、外部直流電源の供給がなく、内気循環送風手段の動力を外部交流電源により供給する際に、タップ切替手段をタップ付き商用電源トランスの出力が低圧側となるように設定しておき、前記内気循環送風手段の前記回転数検知手段により検知された回転数が所望の回転数に達しない場合に、前記外部直流電源の電源系統電圧が高圧側であると判断し、前記タップ切替手段を前記タップ付き商用電源トランスの出力が高圧側となるように切替えることを特徴とするものであり、回転数検知手段により検知した内気循環送風手段の回転数と予め設定した所望の回転数を比較し外部直流電源の電源系統電圧を判断することによりタップ付き商用電源トランスのタップ切替えを自動的に行うので、発熱体収納函を暖める場合に、前記外部直流電が供給されなくても、内気循環送風手段に外部直流電源の電源系統電圧と同一電圧範囲の直流電圧が印加され、前記内気循環送風手段は外部直流電源が印加された際の回転数と同様な回転数で動作させることができるという作用を有する。
【００４５】
本発明の請求項５記載の発明は、内気循環送風手段の入力部に直列に接続した電流検出手段を備え、外部直流電源の供給がなく、前記内気循環送風手段の動力を外部交流電源により供給する際に、タップ切替手段をタップ付き商用電源トランスの出力が低圧側となるように設定しておき、前記電流検出手段により検出された電流値が所望の値に達しない場合に、前記外部直流電源の電源系統電圧が高圧側であると判断し、前記タップ切替手段を前記タップ付き商用電源トランスの出力が高圧側となるように切替えることを特徴とするものであり、電流検出手段により検出した内気循環送風手段に流れる電流値と予め設定した所望の値を比較し外部直流電源の電源系統電圧を判断することによりタップ付き商用電源トランスのタップ切替えを自動的に行うので、発熱体収納函を暖める場合に、前記外部直流電が供給されなくても、内気循環送風手段に外部直流電源の電源系統電圧と同一電圧範囲の直流電圧が印加され、前記内気循環送風手段は外部直流電源が印加された際の動作を確保させることができるという作用を有する。
【００４６】
本発明の請求項６記載の発明は、内気循環風路内に循環される内気の温度を検出する温度検出手段を備え、外部直流電源の供給がなく、発熱体収納函を暖める電気ヒーターへ前記外部交流電源を通電し前記内気循環送風手段の動力を外部交流電源により供給する際に、タップ切替手段をタップ付き商用電源トランスの出力が低圧側となるように設定しておき、前記温度検出手段により検出された温度が所望の温度以下となった場合に、前記外部直流電源の電源系統電圧が高圧側であると判断し、前記タップ切替手段を前記タップ付き商用電源トランスの出力が高圧側となるように切替えることを特徴とするものであり、発熱体収納函を暖める際に、温度検出手段により検出した内気循環送風路内に流れる内気の温度と予め設定した温度と比較し外部直流電源の電源系統電圧を判断することによりタップ付き商用電源トランスのタップ切替えを自動的に行うので、前記外部直流電が供給されない場合でも、内気循環送風手段に外部直流電源の電源系統電圧と同一電圧範囲の直流電圧が印加され、前記内気循環送風手段は外部直流電源が印加された際の動作を確保させることができる作用を有する。
【００４７】
本発明の請求項７記載の発明は、外部直流電源を内気循環送風手段および外気循環送風手段に印加するための電源入切手段を設け、前記外部直流電源の入力電圧を検出する入力電圧検出手段により前記外部直流電源の電源系統電圧を一旦判断した後に、前記外部直流電源の入力電圧が予め設定したこの外部直流電源の電源系統電圧と合致しなくなった場合に、前記電源入切手段を開放し、前記内気循環送風手段および前記外気循環送風手段への動力を外部交流電源により供給するようにしたことを特徴とするものであり、入力電圧検出手段により外部直流電源の入力電圧を異常電圧と判断した場合、電源入切手段を開放させて内気循環送風手段および外気循環送風手段への前記外部直流電圧の印加を遮断し、前記入力電圧検出手段により検出した前記外部直流電源の入力電圧より一旦判断した電源系統電圧と合致させるようにタップ付き商用電源トランスのタップ切替えを自動的に行っていたことにより、外部直流電源の電源系統電圧と同一電圧範囲の直流電圧が前記内気循環送風手段および前記外気循環送風手段に印加され、前記内気循環送風手段および前記外気循環送風手段は外部直流電源が印加された際の動作を確保させることができる作用を有する。
【００４８】
本発明の請求項８記載の発明は、外部直流電源を内気循環送風手段および外気循環送風手段に印加するための電源入切手段を設け、外部直流電源の正極側電位と接地間の電位差を検出する正極側対地間電圧検出手段と、前記外部直流電源の負極側電位と接地間の電位差を検出する負極側対地間電圧検出手段により、前記外部直流電源の電源系統電圧を一旦判断し、前記外部直流電源の入力電圧が予め設定した外部直流電源の電源系統電圧と合致しなくなった場合に、前記電源入切手段を開放し、前記内気循環送風手段および前記外気循環送風手段への動力を、タップ付き商用電源トランスの出力が一旦判断した前記外部直流電源の電源系統電圧となるようにタップ切替手段を切替えて、外部交流電源により供給するようにしたことを特徴とするものであり、正極側対地間電圧検出手段および負極側対地間電圧検出手段により外部直流電源の入力電圧を異常電圧と判断した場合、電源入切手段を開放させて内気循環送風手段および外気循環送風手段への前記外部直流電圧の印加を遮断し、前記正極側対地間電圧検出手段および前記負極側対地間電圧検出手段により検出した前記外部直流電源の正極側電位と接地間の電位差および前記外部直流電源の負極側電位と接地間のより一旦判断した前記外部直流電圧の電源系統電圧と合致させるようにタップ付き商用電源トランスのタップ切替えを自動的に行っていたことにより、前記外部直流電源の電源系統電圧と同一電圧範囲の直流電圧が前記内気循環送風手段および前記外気循環送風手段に印加され、前記内気循環送風手段および前記外気循環送風手段は、前記外部直流電源が印加された際の動作を確保させることができるという作用を有する。
【００４９】
本発明の請求項９記載の発明は、前記外部電源電圧の電源系統電圧を判断した結果を報知するための発光表示手段または音声発生手段を備えたことを特徴とするものであり、外部電源電圧の電源系統電圧を判断した結果あるいはこの外部電源電圧の異常電圧を発光表示手段あるいは音声発生手段で報知することができるので、設置業者やサービスマンが前記外部電源電圧の電源系統電圧やこの外部電源電圧の異常電圧であることを認識することにより、設置業者やサービスマンの修復作業などにより前記外部直流電が供給されない場合でも、内気循環送風手段に外部直流電源の電源系統電圧と同一電圧範囲の直流電圧が印加され、前記内気循環送風手段は外部直流電源が印加された際の動作を確保させることができる作用を有する。
【００５０】
本発明の請求項１０記載の発明は、前記外部電源電圧の電源系統電圧を判断した結果を遠隔監視するオペレーションセンターに報知する通信手段を備えたことを特徴とするものであり、前記外部電源電圧の電源系統電圧を判断した結果あるいはこの外部電源電圧が異常電圧である情報を通信に載せることができるので、発熱体収納函の外部の遠隔地にて前記外部電源電圧の電源系統電圧やこの外部電源電圧の異常電圧であることを認識することすることにより、設置業者やサービスマンの修復作業などにより前記外部直流電が供給されない場合でも、内気循環送風手段に外部直流電源の電源系統電圧と同一電圧範囲の直流電圧が印加され、前記内気循環送風手段は外部直流電源が印加された際の動作を確保させることができるという作用を有する。
【００５１】
以下、本発明の実施形態について図面を参照しながら説明する。
【００５２】
（前提例１）
従来例と同一部分に付いては同一番号を付し詳細な説明を省略する。
【００５３】
図１および図２に示すように、発熱体収納函１０１を冷却する冷却装置１０２は前記発熱体収納函１０１内の内気の熱と前記発熱体収納函１０１外の外気の熱とを熱交換する熱交換手段としての熱交換器１０３と前記発熱体収納函１０１の内気を取り込み前記熱交換器１０３で外気と熱交換させ発熱体収納函１０１内に送風する内気循環風路１０４と、内気を送風させる内気循環送風手段としての内気用ファンモーター１０５を備え、前記発熱体収納函１０１の外気を取り込み前記熱交換器１０３で内気と熱交換して前記発熱体収納函１０１外に送風する外気循環風路と、外気を循環送風させる外気循環送風手段としての外気用ファンモーター１０６と、前記内気用ファンモーター１０５および外気用ファンモーター１０６を動作する不揮発性メモリー１を内蔵したマイコン２を搭載した制御装置１０７を備え、前記冷却装置１０２の主電源である外部直流電源１０８が前記発熱体収納函１０１より供給され、前記内気用ファンモーター１０５および前記外気用ファンモーター１０６の動力として、第１の逆流防止素子１０９を介してこれら内気用ファンモーター１０５および外気用ファンモーター１０６に接続されている。
【００５４】
また、前記発熱体収納函１０１の内気を暖める発熱体収納函冷却装置用加熱装置１１０は、電気ヒーター１１１を前記内気循環風路１０４に備え、この電気ヒーター１１１に電力を供給する前記発熱体収納函１０１より供給される外部交流電源１１２に前記制御装置１０７により駆動する電圧印加手段としてのリレー１１３の接点を介して前記電気ヒーター１１１が接続されている。供給された外部交流電源１１２の一相はタップ付き商用電源トランス３の１次巻線に設けた複数のタップを自動的に切り替えるタップ切替手段としてのスイッチ素子として１Ｃ接点型であるタップ切替えリレー４のコモン端子に接続され、このタップ切替えリレー４のノーマル開端子が前記タップ付き商用電源トランス３の１次巻線に設けた中間タップｂに接続され、前記タップ切替えリレー４のノーマル閉端子が前記タップ付き商用電源トランス３の１次巻線の終端タップａに接続され、前記外部交流電源１１２の他相は前記タップ付き商用電源トランス３の１次巻線のコモン端子ｃに接続される。このタップ付き電源トランス３の２次巻線に出力電圧を全波整流するためのダイオードブリッジ１１５が接続され平滑コンデンサー１１６で平滑された直流電圧Ｖ２となり、前記内気用ファンモーター１０５および前記制御装置１０７に第２の逆流防止素子１１７を介して接続される。前記制御装置１０７には前記外部直流電源１０８の入力電圧検出手段としての第１の抵抗器５と第２の抵抗器６および前記マイコン２が備えてあり、このマイコン２の指令によりタップ切替えリレー４を駆動するリレー駆動回路７を接続している。
【００５５】
ここで、前記タップ付き商用電源トランス３の終端タップａとコモン端子ｃ間に前記外部交流電源１１２が入力された場合には直流電圧Ｖ２が前記外部直流電源１０８の入力直流電圧Ｖ１の電源系統電圧の低圧（例えば、ＤＣ２４Ｖ）と同一となる電圧範囲（例えば、ＤＣ２０Ｖ〜ＤＣ２９Ｖ）となるように、また、前記タップ付き商用電源トランス３の中間タップｂとコモン端子ｃ間に前記外部交流電源１１２が入力された場合には直流電圧Ｖ２は前記外部直流電源１０８の入力直流電圧Ｖ１の電源系統電圧の高圧（例えば、ＤＣ４８Ｖ）と同一となる電圧範囲（例えば、ＤＣ３８．９Ｖ〜ＤＣ５７．６Ｖ）となるように、前記タップ付き商用電源トランス３の１次巻線と２次巻線の巻数比が調整されている。
【００５６】
上記構成において、外部直流電源１０８が投入されたときにこの外部直流電源１０８の入力直流電圧Ｖ１が第１の抵抗器５と第２の抵抗器６により分圧されてマイコン２のアナログ入力端子ＡＩＮに印加され、このマイコン２ではタイマーを走らせて数秒後（例えば、３秒）に発熱体収納函１０１より供給される外部直流電源１０８が安定したものとして入力直流電圧Ｖ１を判定するためにＡＩＮの電圧が第１の閾値（例えば、入力直流電圧Ｖ１がＤＣ２９Ｖに相当）を上回っていたらこの外部直流電源１０８の電源系統電圧は高圧側（例えば、ＤＣ４８Ｖ）と判断し、直ちにタップ切替えリレー４をオンさせるようにリレー駆動回路７に指令し、タップ切替えリレー４の接点をノーマル開側に切り替えてタップ付き商用電源トランス３の１次巻線の中間タップｂに回路が切り替わり前記タップ付き商用電源トランス３の２次側の出力電圧が１次巻線−２次巻線の巻数比により上がり、直流電圧Ｖ２は外部直流電源１０８の電源系統電圧の高圧側（例えば、ＤＣ４８Ｖ）と同一となる電圧範囲（例えば、ＤＣ３８．９Ｖ〜ＤＣ５７．６Ｖ）となる。この外部直流電源１０８の電源系統電圧が高圧側であるという判定情報を前記マイコン２に備えている不揮発性メモリー１に保管しておき、外部直流電源１０８が再投入時に再度、前記外部直流電源１０８の電源系統電圧の判定を行う。すなわち、前記外部直流電源１０８および前記外部交流電源１１２の供給がなくなり、この外部交流電源１１２のみ再投入された場合は、前記不揮発性メモリー１に保管されていた、前記外部直流電源１０８の電源系統電圧が高圧側である、という判定情報を基に、直ちにタップ切替えリレー４をオンさせるようにリレー駆動回路７に指令し、タップ切替えリレー４の接点をノーマル開側に切替えタップ付き商用電源トランス３の１次巻線の中間タップｂに回路が切り替わり前記タップ付き商用電源トランス３の２次側の出力電圧が１次巻線−２次巻線の巻数比により上がり、直流電圧Ｖ２は外部直流電源１０８の電源系統電圧の高圧側（例えば、ＤＣ４８Ｖ）と同一となる電圧範囲（例えば、ＤＣ３８．９Ｖ〜ＤＣ５７．６Ｖ）となる。マイコン２は、入力直流電圧Ｖ１の分圧電圧を監視し、第１の閾値を超えた場合に、前記タップ切替えリレー４をオンするように駆動させる内容や内蔵した不揮発性メモリー１の情報を確認したり、情報を書き換えるようなにプログラムされているものである。
【００５７】
従って、外部交流電源１１２により作られる直流電圧Ｖ２が、自動的に外部直流電源１０８の電源系統電圧の高圧側（例えば、ＤＣ４８Ｖ）と同一となるので、外部直流電源１０８の供給がない場合でも供給前記内気用ファンモーター１０５は、この外部直流電源１０８の供給時と同様な回転数で動作することができる。
【００５８】
このように、商用電源トランスの巻線にタップを設けたタップ付き商用電源トランス３のタップ切替えを自動的に行うのでタップ付き商用電源トランス３の１次巻線−２次巻線の巻数比に応じてこのタップ付き商用電源トランス３の出力電圧を変圧させることができるので、直流電圧Ｖ２が外部直流電源１０８の電源系統電圧と同一することができるので、発熱体収納函１０１を暖める場合に、前記外部直流電１０８が供給されなくても、内気用ファンモーター１０５に外部直流電源１０８と同一の直流電圧が印加されるので、前記内気用ファンモーター１０５は外部直流電源１０８が印加された際の回転数と同様な回転数で動作させることができ、循環送風手段としての性能を確保できる。
【００５９】
なお、本前提例では説明の便宜上、タップ付き商用電源トランス３のタップを２個として説明したが、３個以上としても良いことは無論である。タップ付き商用電源トランスの１次巻線にタップを設けたとして説明したが、２次巻線に設けても作用効果に差はない。以降の実施の形態の説明全てに共通する。また、マイコン２を不揮発性メモリー１の内蔵されたタイプとして説明したが、マイコン２の外部に不揮発性メモリー１を備えても作用効果に差はない。
【００６０】
（実施の形態１）
従来例、前提例１と同一部分に付いては同一番号を付し詳細な説明を省略する。
【００６１】
図３、図４および図５に示すように、発熱体収納函１０１を冷却する冷却装置１０２は前記発熱体収納函１０１内の内気の熱と前記発熱体収納函１０１外の外気の熱とを熱交換する熱交換手段としての熱交換器１０３と前記発熱体収納函１０１の内気を取り込み前記熱交換器１０３で外気と熱交換させ発熱体収納函１０１内に送風する内気循環風路１０４と、内気を送風させる内気循環送風手段としての内気用ファンモーター１０５を備え、前記発熱体収納函１０１の外気を取り込み前記熱交換器１０３で内気と熱交換して前記発熱体収納函１０１外に送風する外気循環風路と、外気を循環送風させる外気循環送風手段としての外気用ファンモーター１０６と、前記内気用ファンモーター１０５および外気用ファンモーター１０６を動作する不揮発性メモリー１を内蔵したマイコン２を搭載した制御装置１０７を備え、前記冷却装置１０２の主電源である外部直流電源１０８が前記発熱体収納函１０１より供給され、前記内気用ファンモーター１０５および前記外気用ファンモーター１０６の動力として、第１の逆流防止素子１０９を介してこれら内気用ファンモーター１０５および外気用ファンモーター１０６に接続されており、前記冷却装置１０２には保護接地として備えられた接地端子８が大地アース９に接続されている。また、図４（ａ）に示すように前記外部直流電源１０８は正極側電位が大地アース９に接続された接地相となる高圧（例えば、ＤＣ４８Ｖ）の電源系統電圧と負極側電位が大地アース９に接続された接地相となる低圧（例えば、ＤＣ２４Ｖ）の電源系統電圧が存在する。
【００６２】
また、前記発熱体収納函１０１の内気を暖める発熱体収納函冷却装置用加熱装置１１０は、電気ヒーター１１１を前記内気循環風路１０４に備え、この電気ヒーター１１１に電力を供給する前記発熱体収納函１０１より供給される外部交流電源１１２に前記制御装置１０７により駆動する電圧印加手段としてのリレー１１３の接点を介して前記電気ヒーター１１１が接続されている。供給された外部交流電源１１２の一相はタップ付き商用電源トランス３の１次巻線に設けた複数のタップを自動的に切り替えるタップ切替手段としてのスイッチ素子として１Ｃ接点型であるタップ切替えリレー４のコモン端子に接続され、このタップ切替えリレー４のノーマル開端子が前記タップ付き商用電源トランス３の１次巻線に設けた中間タップｂに接続され、前記タップ切替えリレー４のノーマル閉端子が前記タップ付き商用電源トランス３の１次巻線の終端タップａに接続され、前記外部交流電源１１２の他相は前記タップ付き商用電源トランス３の１次巻線のコモン端子ｃに接続される。このタップ付き電源トランス３の２次巻線に出力電圧を全波整流するためのダイオードブリッジ１１５が接続され平滑コンデンサー１１６で平滑された直流電圧Ｖ２となり、前記内気用ファンモーター１０５および前記制御装置１０７に第２の逆流防止素子１１７を介して接続される。前記制御装置１０７には前記外部直流電源１０８の正極側電位端子１０ａと接地端子８間の電位差としての正極側対地間電圧Ｖ３を検出する正極側対地間電圧検出手段としての第３の抵抗器１１と第４の抵抗器１２と前記マイコン２が備えてあり、このマイコン２の指令によりタップ切替リレー４を駆動するリレー駆動回路７を接続している。
【００６３】
上記構成において、外部直流電源１０８が投入されたときにこの外部直流電源１０８の正極側電位端子１０ａと接地端子８との間の正極側対地間電圧Ｖ３が第３の抵抗器１１と第４の抵抗器１２により分圧されてマイコン２のアナログ入力端子ＡＩＮに印加され、このマイコン２ではタイマーを走らせて数秒後（例えば、３秒）に発熱体収納函１０１より供給される外部直流電源１０８が安定したものとして正極側対地間電圧Ｖ３を判定するためにＡＩＮの電圧が第２の閾値（例えば、正極側対地間電圧Ｖ３がＤＣ１．０Ｖに相当）を下回っていたらこの外部直流電源１０８は正極側電位が接地相である高圧側（例えば、ＤＣ４８Ｖ）と判断し、直ちにタップ切替えリレー４をオンさせるようにリレー駆動回路７に指令し、タップ切替えリレー４の接点をノーマル開側に切替えタップ付き商用電源トランス３の１次巻線の中間タップｂに回路が切替わり前記タップ付き商用電源トランス３の２次側の出力電圧が１次巻線−２次巻線の巻数比により上がり、直流電圧Ｖ２は外部直流電源１０８の電源系統電圧の高圧側（例えば、ＤＣ４８Ｖ）と同一となる電圧範囲（例えば、ＤＣ３８．９Ｖ〜ＤＣ５７．６Ｖ）となる。この外部直流電源１０８の電源系統電圧が高圧側であるという判定情報を前記マイコン２に備えている不揮発性メモリー１に保管しておき、外部直流電源１０８が再投入時に再度、前記外部直流電源１０８の電源系統電圧の判定を行う。すなわち、前記外部直流電源１０８および前記外部交流電源１１２の供給がなくなり、この外部交流電源１１２のみ再投入された場合は、前記不揮発性メモリー１に保管されていた、前記外部直流電源１０８の電源系統電圧が高圧側である、という判定情報を基に、直ちにタップ切替えリレー４をオンさせるようにリレー駆動回路７に指令し、タップ切替えリレー４の接点をノーマル開側に切替えタップ付き商用電源トランス３の１次巻線の中間タップｂに回路が切替わり前記タップ付き商用電源トランス３の２次側の出力電圧が１次巻線−２次巻線の巻数比により上がり、直流電圧Ｖ２は外部直流電源１０８の電源系統電圧の高圧側（例えば、ＤＣ４８Ｖ）と同一となる電圧範囲（例えば、ＤＣ３８．９Ｖ〜ＤＣ５７．６Ｖ）となる。マイコン２は、接地間電位Ｖ３の分圧電圧を監視し、第２の閾値を下回った場合に、前記タップ切替えリレー４をオンするように駆動させる内容や内蔵した不揮発性メモリー１の情報を確認したり、情報を書き換えるようなにプログラムされているものである。
【００６４】
従って、外部交流電源１１２により作られる直流電圧Ｖ２が、自動的に外部直流電源１０８の電源系統電圧の高圧側（例えば、ＤＣ４８Ｖ）と同一となるので、外部直流電源１０８の供給がない場合でも供給前記内気用ファンモーター１０５は、この外部直流電源１０８の供給時と同様な回転数で動作することができる。
【００６５】
このように、商用電源トランスの巻線にタップを設けたタップ付き商用電源トランス３のタップ切替えを自動的に行うのでタップ付き商用電源トランス３の１次巻線−２次巻線の巻数比に応じてこのタップ付き商用電源トランス３の出力電圧を変圧させることができるので、直流電圧Ｖ２が外部直流電源１０８の電源系統電圧と同一することができるので、発熱体収納函１０１を暖める場合に、前記外部直流電１０８が供給されなくても、内気用ファンモーター１０５に外部直流電源１０８と同一の直流電圧が印加されるので、前記内気用ファンモーター１０５は外部直流電源１０８が印加された際の回転数と同様な回転数で動作させることができ、循環送風手段としての性能を確保できる。
【００６６】
なお、マイコン２を不揮発性メモリー１の内蔵されたタイプとして説明したが、マイコン２の外部に不揮発性メモリー１を備えても作用効果に差はない。
【００６７】
（実施の形態２）
従来例、前提例１および実施の形態１と同一部分に付いては同一番号を付し詳細な説明を省略する。
【００６８】
図６および図７に示すように、発熱体収納函１０１を冷却する冷却装置１０２は前記発熱体収納函１０１内の内気の熱と前記発熱体収納函１０１外の外気の熱とを熱交換する熱交換手段としての熱交換器１０３と前記発熱体収納函１０１の内気を取り込み前記熱交換器１０３で外気と熱交換させ発熱体収納函１０１内に送風する内気循環風路１０４と、内気を送風させる内気循環送風手段としての内気用ファンモーター１０５を備え、前記発熱体収納函１０１の外気を取り込み前記熱交換器１０３で内気と熱交換して前記発熱体収納函１０１外に送風する外気循環風路と、外気を循環送風させる外気循環送風手段としての外気用ファンモーター１０６と、前記内気用ファンモーター１０５および外気用ファンモーター１０６を動作する不揮発性メモリー１を内蔵したマイコン２を搭載した制御装置１０７を備え、前記冷却装置１０２の主電源である外部直流電源１０８が前記発熱体収納函１０１より供給され、前記内気用ファンモーター１０５および前記外気用ファンモーター１０６の動力として、第１の逆流防止素子１０９を介してこれら内気用ファンモーター１０５および外気用ファンモーター１０６に接続されており、前記冷却装置１０２には保護接地として備えられた接地端子８が大地アース９に接続されている。前記外部直流電源１０８は正極側電位が接地相となる高圧（例えば、ＤＣ４８Ｖ）の電源系統電圧と負極側電位が接地相となる低圧（例えば、ＤＣ２４Ｖ）の電源系統電圧が存在する。
【００６９】
また、前記発熱体収納函１０１の内気を暖める発熱体収納函冷却装置用加熱装置１１０は、電気ヒーター１１１を前記内気循環風路１０４に備え、この電気ヒーター１１１に電力を供給する前記発熱体収納函１０１より供給される外部交流電源１１２に前記制御装置１０７により駆動する電圧印加手段としてのリレー１１３の接点を介して前記電気ヒーター１１１が接続されている。供給された外部交流電源１１２の一相はタップ付き商用電源トランス３の１次巻線に設けた複数のタップを自動的に切り替えるタップ切替手段としてのスイッチ素子として１Ｃ接点型であるタップ切替えリレー４のコモン端子に接続され、このタップ切替えリレー４のノーマル開端子が前記タップ付き商用電源トランス３の１次巻線に設けた中間タップｂに接続され、前記タップ切替えリレー４のノーマル閉端子が前記タップ付き商用電源トランス３の１次巻線の終端タップａに接続され、前記外部交流電源１１２の他相は前記タップ付き商用電源トランス３の１次巻線のコモン端子ｃに接続される。このタップ付き電源トランス３の２次巻線に出力電圧を全波整流するためのダイオードブリッジ１１５が接続され平滑コンデンサー１１６で平滑された直流電圧Ｖ２となり、前記内気用ファンモーター１０５および前記制御装置１０７に第２の逆流防止素子１１７を介して接続される。前記制御装置１０７には前記外部直流電源１０８の負極側電位端子１０ｂと接地端子８間の電位差としての負極側対地間電圧Ｖ４を検出する負極側対地間電圧検出手段としての第５の抵抗器１３と第６の抵抗器１４と前記マイコン２が備えてあり、このマイコン２の指令によりタップ切替リレー４を駆動するリレー駆動回路７を接続している。
【００７０】
上記構成において、外部直流電源１０８が投入されたときにこの外部直流電源１０８の負極側電位端子１０ｂと接地端子８との間の負極側対地間電圧Ｖ４が第５の抵抗器１３と第６の抵抗器１４により分圧されてマイコン２のアナログ入力端子ＡＩＮに印加され、このマイコン２ではタイマーを走らせて数秒後（例えば、３秒）に発熱体収納函１０１より供給される外部直流電源１０８が安定したものとして負極側対地間電圧Ｖ４を判定するためにＡＩＮの電圧が第３の閾値（例えば、負極側対地間電圧Ｖ４がＤＣ１．０Ｖに相当）を上回っていたらこの外部直流電源１０８は正極側電位が活性相である高圧側（例えば、ＤＣ４８Ｖ）と判断し、直ちにタップ切替えリレー４をオンさせるようにリレー駆動回路７に指令し、タップ切替えリレー４の接点をノーマル開側に切替えタップ付き商用電源トランス３の１次巻線の中間タップｂに回路が切替わり前記タップ付き商用電源トランス３の２次側の出力電圧が１次巻線−２次巻線の巻数比により上がり、直流電圧Ｖ２は外部直流電源１０８の電源系統電圧の高圧側（例えば、ＤＣ４８Ｖ）と同一となる電圧範囲（例えば、ＤＣ３８．９Ｖ〜ＤＣ５７．６Ｖ）となる。この外部直流電源１０８の電源系統電圧が高圧側であるという判定情報を前記マイコン２に備えている不揮発性メモリー１に保管しておき、外部直流電源１０８が再投入時に再度、前記外部直流電源１０８の電源系統電圧の判定を行う。すなわち、前記外部直流電源１０８および前記外部交流電源１１２の供給がなくなり、この外部交流電源１１２のみ再投入された場合は、前記不揮発性メモリー１に保管されていた、前記外部直流電源１０８の電源系統電圧が高圧側である、という判定情報を基に、直ちにタップ切替えリレー４をオンさせるようにリレー駆動回路７に指令し、タップ切替えリレー４の接点をノーマル開側に切替えタップ付き商用電源トランス３の１次巻線の中間タップｂに回路が切替わり前記タップ付き商用電源トランス３の２次側の出力電圧が１次巻線−２次巻線の巻数比により上がり、直流電圧Ｖ２は外部直流電源１０８の電源系統電圧の高圧側（例えば、ＤＣ４８Ｖ）と同一となる電圧範囲（例えば、ＤＣ３８．９Ｖ〜ＤＣ５７．６Ｖ）となる。マイコン２は、接地間電位Ｖ４の分圧電圧を監視し、第３の閾値を下回った場合に、前記タップ切替えリレー４をオンするように駆動させる内容や内蔵した不揮発性メモリー１の情報を確認したり、情報を書き換えるようにプログラムされているものである。
【００７１】
従って、外部交流電源１１２により作られる直流電圧Ｖ２が、自動的に外部直流電源１０８の電源系統電圧の高圧側（例えば、ＤＣ４８Ｖ）と同一となるので、外部直流電源１０８の供給がない場合でも供給前記内気用ファンモーター１０５は、この外部直流電源１０８の供給時と同様な回転数で動作することができる。
【００７２】
このように、商用電源トランスの巻線にタップを設けたタップ付き商用電源トランス３のタップ切替えを自動的に行うのでタップ付き商用電源トランス３の１次巻線−２次巻線の巻数比に応じてこのタップ付き商用電源トランス３の出力電圧を変圧させることができるので、直流電圧Ｖ２が外部直流電源１０８の電源系統電圧と同一することができるので、発熱体収納函１０１を暖める場合に、前記外部直流電１０８が供給されなくても、内気用ファンモーター１０５に外部直流電源１０８と同一の直流電圧が印加されるので、前記内気用ファンモーター１０５は外部直流電源１０８が印加された際の回転数と同様な回転数で動作させることができ、循環送風手段としての性能を確保できる。
【００７３】
なお、マイコン２を不揮発性メモリー１の内蔵されたタイプとして説明したが、マイコン２の外部に不揮発性メモリー１を備えても作用効果に差はない。
【００７４】
（実施の形態３）
従来例、前提例１、実施の形態１および実施の形態２と同一部分に付いては同一番号を付し詳細な説明を省略する。
【００７５】
図８に示すように、発熱体収納函１０１を冷却する冷却装置１０２は前記発熱体収納函１０１内の内気の熱と前記発熱体収納函１０１外の外気の熱とを熱交換する熱交換手段としての熱交換器１０３と前記発熱体収納函１０１の内気を取り込み前記熱交換器１０３で外気と熱交換させ発熱体収納函１０１内に送風する内気循環風路１０４と、内気を送風させる内気循環送風手段としての内気用ファンモーター１０５を備え、前記発熱体収納函１０１の外気を取り込み前記熱交換器１０３で内気と熱交換して前記発熱体収納函１０１外に送風する外気循環風路と、外気を循環送風させる外気循環送風手段としての外気用ファンモーター１０６と、前記内気用ファンモーター１０５および外気用ファンモーター１０６を動作するマイコン２を搭載した制御装置１０７を備え、前記冷却装置１０２の主電源である外部直流電源１０８が前記発熱体収納函１０１より供給され、前記内気用ファンモーター１０５および前記外気用ファンモーター１０６の動力として、第１の逆流防止素子１０９を介してこれら内気用ファンモーター１０５および外気用ファンモーター１０６に接続されている。前記制御装置１０７には前記内気用ファンモーター１０５の回転数を検知する回転数検知手段としての回転数検出回路１５が備えてある。
【００７６】
また、前記発熱体収納函１０１の内気を暖める発熱体収納函冷却装置用加熱装置１１０は、電気ヒーター１１１を前記内気循環風路１０４に備え、この電気ヒーター１１１に電力を供給する前記発熱体収納函１０１より供給される外部交流電源１１２に前記制御装置１０７により駆動する電圧印加手段としてのリレー１１３の接点を介して前記電気ヒーター１１１が接続されている。供給された外部交流電源１１２の一相はタップ付き商用電源トランス３の１次巻線に設けた複数のタップを自動的に切り替えるタップ切替手段としてのスイッチ素子として１Ｃ接点型であるタップ切替えリレー４のコモン端子に接続され、このタップ切替えリレー４のノーマル開端子が前記タップ付き商用電源トランス３の１次巻線に設けた中間タップｂに接続され、前記タップ切替えリレー４のノーマル閉端子が前記タップ付き商用電源トランス３の１次巻線の終端タップａに接続され、前記外部交流電源１１２の他相は前記タップ付き商用電源トランス３の１次巻線のコモン端子ｃに接続される。このタップ付き電源トランス３の２次巻線に出力電圧を全波整流するためのダイオードブリッジ１１５が接続され平滑コンデンサー１１６で平滑された直流電圧Ｖ２となり、前記内気用ファンモーター１０５および前記制御装置１０７に第２の逆流防止素子１１７を介して接続される。
【００７７】
上記構成において、前記外部直流電源１０８の供給がなく、前記外部交流電源１１２のみ供給された場合は、前記タップ切替えリレー４の接点が通常閉側にて前記タップ付き商用電源トランス３の１次側に前記外部交流電源１１２が供給されるので、直流電圧Ｖ２は前記外部直流電源１０８の電源系統電圧が低圧（例えばＤＣ２４Ｖ）と同一となる電圧範囲（例えば、ＤＣ２０Ｖ〜ＤＣ２９Ｖ）となり、この電圧範囲に於いて前記内気用ファンモーター１０５が駆動される。この内気用ファンモーター１０５の回転数Ｎ１を前記回転数検出回路１５が検出し、この回転数Ｎ１が予め設定した回転数ＮＳに対し低い場合には、この内気用ファンモーター１０５が充分に回りきれていないと判断し、この内気用ファンモーター１０５を動作させる動力は外部直流電源１０８の電源系統電圧が高圧（例えばＤＣ４８Ｖ）であったとして、直ちにタップ切替えリレー４をオンさせるようにリレー駆動回路７に指令し、タップ切替えリレー４の接点をノーマル開側に切替え、タップ付き商用電源トランス３の１次巻線の中間タップｂに回路が切替わり前記タップ付き商用電源トランス３の２次側の出力電圧が１次巻線−２次巻線の巻数比により上がり、直流電圧Ｖ２は外部直流電源１０８の電源系統電圧の高圧（例えば、ＤＣ４８Ｖ）と同一となる電圧範囲（例えば、ＤＣ３８．９Ｖ〜ＤＣ５７．６Ｖ）となる。マイコン２は、前記回転数検知回路１５により得られた回転数Ｎ１と予め設定されている回転数ＮＳを比較し、設定回転数ＮＳを回転数Ｎ１が下回った場合に、前記タップ切替えリレー４をオンするように駆動させるようにプログラムされているものである。
【００７８】
従って、外部交流電源１１２により作られる直流電圧Ｖ２が、自動的に外部直流電源１０８の電源系統電圧の高圧（例えば、ＤＣ４８Ｖ）と同一となるので、外部直流電源１０８の供給がない場合でも供給前記内気用ファンモーター１０５は、この外部直流電源１０８の供給時と同様な回転数で動作することができる。
【００７９】
このように、商用電源トランスの巻線にタップを設けたタップ付き商用電源トランス３のタップ切替えを自動的に行うのでタップ付き商用電源トランス３の１次巻線−２次巻線の巻数比に応じてこのタップ付き商用電源トランス３の出力電圧を変圧させることができるので、直流電圧Ｖ２が外部直流電源１０８の電源系統電圧と同一することができるので、発熱体収納函１０１を暖める場合に、前記外部直流電１０８が供給されなくても、内気用ファンモーター１０５に外部直流電源１０８と同一の直流電圧が印加されるので、前記内気用ファンモーター１０５は外部直流電源１０８が印加された際の回転数と同様な回転数で動作させることができ、循環送風手段としての性能を確保できる。
【００８０】
（実施の形態４）
従来例、前提例１、実施の形態１乃至実施の形態３と同一部分に付いては同一番号を付し詳細な説明を省略する。
【００８１】
図９に示すように、発熱体収納函１０１を冷却する冷却装置１０２は前記発熱体収納函１０１内の内気の熱と前記発熱体収納函１０１外の外気の熱とを熱交換する熱交換手段としての熱交換器１０３と前記発熱体収納函１０１の内気を取り込み前記熱交換器１０３で外気と熱交換させ発熱体収納函１０１内に送風する内気循環風路１０４と、内気を送風させる内気循環送風手段としての内気用ファンモーター１０５を備え、前記発熱体収納函１０１の外気を取り込み前記熱交換器１０３で内気と熱交換して前記発熱体収納函１０１外に送風する外気循環風路と、外気を循環送風させる外気循環送風手段としての外気用ファンモーター１０６と、前記内気用ファンモーター１０５および外気用ファンモーター１０６を動作するマイコン２を搭載した制御装置１０７を備え、前記冷却装置１０２の主電源である外部直流電源１０８が前記発熱体収納函１０１より供給され、前記内気用ファンモーター１０５および前記外気用ファンモーター１０６の動力として、第１の逆流防止素子１０９を介して前記外気用ファンモーター１０６に接続され、また、電流検出手段としてのシャント抵抗器１６を介して内気用ファンモーター１０５に接続されている。前記制御装置１０７には前記内気用ファンモーター１０５に流れる電流値を検出する電流検出手段としての電流出回路１７が備えてある。
【００８２】
また、前記発熱体収納函１０１の内気を暖める発熱体収納函冷却装置用加熱装置１１０は、電気ヒーター１１１を前記内気循環風路１０４に備え、この電気ヒーター１１１に電力を供給する前記発熱体収納函１０１より供給される外部交流電源１１２に前記制御装置１０７により駆動する電圧印加手段としてのリレー１１３の接点を介して前記電気ヒーター１１１が接続されている。供給された外部交流電源１１２の一相はタップ付き商用電源トランス３の１次巻線に設けた複数のタップを自動的に切り替えるタップ切替手段としてのスイッチ素子として１Ｃ接点型であるタップ切替えリレー４のコモン端子に接続され、このタップ切替えリレー４のノーマル開端子が前記タップ付き商用電源トランス３の１次巻線に設けた中間タップｂに接続され、前記タップ切替えリレー４のノーマル閉端子が前記タップ付き商用電源トランス３の１次巻線の終端タップａに接続され、前記外部交流電源１１２の他相は前記タップ付き商用電源トランス３の１次巻線のコモン端子ｃに接続される。このタップ付き電源トランス３の２次巻線に出力電圧を全波整流するためのダイオードブリッジ１１５が接続され平滑コンデンサー１１６で平滑された直流電圧Ｖ２となり、第２の逆流防止素子１１７を介して前記制御装置１０７に接続され、また、シャント抵抗器１６を介して前記内気用ファンモーター１０５に接続される。
【００８３】
上記構成において、前記外部直流電源１０８の供給がなく、前記外部交流電源１１２のみ供給された場合は、前記タップ切替えリレー４の接点が通常閉側にて前記タップ付き商用電源トランス３の１次側に前記外部交流電源１１２が供給されるので、直流電圧Ｖ２は前記外部直流電源１０８の電源系統電圧が低圧側（例えばＤＣ２４Ｖ）と同一となる電圧範囲（例えば、ＤＣ２０Ｖ〜ＤＣ２９Ｖ）となり、この電圧範囲に於いて前記内気用ファンモーター１０５が駆動される。この内気用ファンモーター１０５に流れる電流Ｉ１を前記シャント抵抗器１６を通して電流検出回路１７が検出し、この回転数Ｉ１が予め設定した電流値ＩＳに対し低い場合には、この内気用ファンモーター１０５が充分に回りきれていないと判断し、この内気用ファンモーター１０５を動作させる動力は外部直流電源１０８の電源系統電圧が高圧（例えばＤＣ４８Ｖ）であったとして、直ちにタップ切替えリレー４をオンさせるようにリレー駆動回路７に指令し、タップ切替えリレー４の接点をノーマル開側に切替え、タップ付き商用電源トランス３の１次巻線の中間タップｂに回路が切替わり前記タップ付き商用電源トランス３の２次側の出力電圧が１次巻線−２次巻線の巻数比により上がり、直流電圧Ｖ２は外部直流電源１０８の電源系統電圧の高圧側（例えば、ＤＣ４８Ｖ）と同一となる電圧範囲（例えば、ＤＣ３８．９Ｖ〜ＤＣ５７．６Ｖ）となる。マイコン２は、前記回転数検知回路１５により得られた電流Ｉ１と予め設定されている電流値ＩＳを比較し、設定電流値ＩＳを電流Ｉ１が下回った場合に、前記タップ切替えリレー４をオンするように駆動させるようにプログラムされているものである。
【００８４】
従って、外部交流電源１１２により作られる直流電圧Ｖ２が、自動的に外部直流電源１０８の電源系統電圧の高圧（例えば、ＤＣ４８Ｖ）と同一となるので、外部直流電源１０８の供給がない場合でも供給前記内気用ファンモーター１０５は、この外部直流電源１０８の供給時と同様な回転数で動作することができる。
【００８５】
このように、商用電源トランスの巻線にタップを設けたタップ付き商用電源トランス３のタップ切替えを自動的に行うのでタップ付き商用電源トランス３の１次巻線−２次巻線の巻数比に応じてこのタップ付き商用電源トランス３の出力電圧を変圧させることができるので、直流電圧Ｖ２が外部直流電源１０８の電源系統電圧と同一することができるので、発熱体収納函１０１を暖める場合に、前記外部直流電１０８が供給されなくても、内気用ファンモーター１０５に外部直流電源１０８と同一の直流電圧が印加されるので、前記内気用ファンモーター１０５は外部直流電源１０８が印加された際の回転数と同様な回転数で動作させることができ、循環送風手段としての性能を確保できる。
【００８６】
（実施の形態５）
従来例、前提例１、実施の形態１乃至実施の形態４と同一部分に付いては同一番号を付し詳細な説明を省略する。
【００８７】
図１０、図１１および図１２に示すように、図１の構成に対し、前記内気循環風路１０４内に循環される前記発熱体収納函１０１の内気の温度ＴINを検出する温度検出手段としてのサーミスター１８を備え、このサーミスター１８の一方を前記制御装置１０７の分圧抵抗器１９と他方を前記制御装置１０７の回路グランドに接続し、このサーミスター１８と分圧抵抗器１９とによる分圧電圧Ｖ５を前記マイコン２に入力し、予め設定された電圧−温度変換データ（図示せず）などにより前記発熱体収納函１０１の内気の温度ＴINが認識される。このマイコン２には前記内気用ファンモーター１０５の動作不充分により加熱が不足し下降するであろう前記内気循環風路１０４内の予想温度である所定の温度ＴS（例えば、前記発熱体収納函１０１を暖める条件としてこの発熱体収納函１０１の内気の温度を１０℃以下になったときとした場合は、５℃とする）が予め入力されている。
【００８８】
また、前記発熱体収納函１０１の内気を暖める発熱体収納函冷却装置用加熱装置１１０は、電気ヒーター１１１を前記内気循環風路１０４に備え、この電気ヒーター１１１に電力を供給する前記発熱体収納函１０１より供給される外部交流電源１１２に前記制御装置１０７により駆動する電圧印加手段としてのリレー１１３の接点を介して前記電気ヒーター１１１が接続されている。供給された外部交流電源１１２の一相はタップ付き商用電源トランス３の１次巻線に設けた複数のタップを自動的に切り替えるタップ切替手段としてのスイッチ素子として１Ｃ接点型であるタップ切替えリレー４のコモン端子に接続され、このタップ切替えリレー４のノーマル開端子が前記タップ付き商用電源トランス３の１次巻線に設けた中間タップｂに接続され、前記タップ切替えリレー４のノーマル閉端子が前記タップ付き商用電源トランス３の１次巻線の終端タップａに接続され、前記外部交流電源１１２の他相は前記タップ付き商用電源トランス３の１次巻線のコモン端子ｃに接続される。このタップ付き電源トランス３の２次巻線に出力電圧を全波整流するためのダイオードブリッジ１１５が接続され平滑コンデンサー１１６で平滑された直流電圧Ｖ２となり、前記内気用ファンモーター１０５および前記制御装置１０７に第２の逆流防止素子１１７を介して接続される。
【００８９】
上記構成において、前記外部直流電源１０８の供給がなく、前記外部交流電源１１２のみ供給された場合に、前記発熱体収納函１０１内に実装された機器（図示せず）を安定動作させるなどのためにこの発熱体収納函１０１内を暖める必要が生じた際には、前記リレー１１３の接点を閉じて前記電気ヒーター１１１に前記外部交流電源１１２の電圧を印加し、この電気ヒーター１１１を発熱させるとともに前記内気用ファンモーター１０５を駆動し、内気循環風路１０４に流れる暖められた発熱体収納函１０１の内気をこの発熱体収納函１０１内に送風し、この発熱体収納函１０１を暖める。前記内気用ファンモーター１０５は、前記タップ切替えリレー４の接点が通常閉側にて前記タップ付き商用電源トランス３の１次側に前記外部交流電源１１２が供給され、直流電圧Ｖ２は前記外部直流電源１０８の電源系統電圧が低圧（例えばＤＣ２４Ｖ）と同一となる電圧範囲（例えば、ＤＣ２０Ｖ〜ＤＣ２９Ｖ）に於いて駆動される。この内気用ファンモーター１０５が充分に回りきれていない場合には、前記サーミスター１８により検出された前記発熱体収納函１０１の内気の温度ＴINを前記内気循環風路１０４内の予想温度である所定の温度ＴS（例えば、前記発熱体収納函１０１を暖める条件としてこの発熱体収納函１０１の内気の温度を１０℃以下になったときとした場合は、５℃とする）を下回ることとなり、前記内気用ファンモーター１０５を動作させる動力は外部直流電源１０８の電源系統電圧が高圧（例えばＤＣ４８Ｖ）であったとして、直ちにタップ切替えリレー４をオンさせるようにリレー駆動回路７に指令し、タップ切替えリレー４の接点をノーマル開側に切替え、タップ付き商用電源トランス３の１次巻線の中間タップｂに回路が切替わり前記タップ付き商用電源トランス３の２次側の出力電圧が１次巻線−２次巻線の巻数比により上がり、直流電圧Ｖ２は外部直流電源１０８の電源系統電圧の高圧側（例えば、ＤＣ４８Ｖ）と同一となる電圧範囲（例えば、ＤＣ３８．９Ｖ〜ＤＣ５７．６Ｖ）となる。マイコン２は、前記発熱体収納函１０１の内気の温度ＴINと前記内気循環風路１０４内の予想温度である所定の温度ＴSを比較し、温度ＴINが所定の温度ＴSを下回った場合に、前記タップ切替えリレー４をオンするように駆動させるようにプログラムされているものである。
【００９０】
従って、外部交流電源１１２により作られる直流電圧Ｖ２が、自動的に外部直流電源１０８の電源系統電圧の高圧側（例えば、ＤＣ４８Ｖ）と同一となるので、外部直流電源１０８の供給がない場合でも供給前記内気用ファンモーター１０５は、この外部直流電源１０８の供給時と同様な回転数で動作することができる。
【００９１】
このように、商用電源トランスの巻線にタップを設けたタップ付き商用電源トランス３のタップ切替えを自動的に行うのでタップ付き商用電源トランス３の１次巻線−２次巻線の巻数比に応じてこのタップ付き商用電源トランス３の出力電圧を変圧させることができるので、直流電圧Ｖ２が外部直流電源１０８の電源系統電圧と同一することができるので、発熱体収納函１０１を暖める場合に、前記外部直流電１０８が供給されなくても、内気用ファンモーター１０５に外部直流電源１０８と同一の直流電圧が印加されるので、前記内気用ファンモーター１０５は外部直流電源１０８が印加された際の回転数と同様な回転数で動作させることができ、循環送風手段としての性能を確保できる。
【００９２】
（実施の形態６）
従来例、前提例１、実施の形態１乃至実施の形態５と同一部分に付いては同一番号を付し詳細な説明を省略する。
【００９３】
図２および図１３に示すように、図１の構成に加えて、外部直流電源１０８の正極側電位端子１０ａと第１の逆流防止素子の間および前記外部直流電源１０８の負極側電位端子１０ｂと内気用ファンモーター１０５、外気用ファンモーター１０６および制御装置の間に電源入切手段としてのＢ接点型リレーである電源入切リレー２０を挿入し、この電源入切リレー２０はリレー駆動回路７により動作される。
【００９４】
上記構成において、外部直流電源１０８が投入され、この外部直流電源１０８の入力直流電圧Ｖ１が第１の抵抗器５と第２の抵抗器６により分圧されてマイコン２のアナログ入力端子ＡＩＮに印加され、このマイコン２ではタイマーを走らせて数秒後（例えば、３秒）に発熱体収納函１０１より供給される外部直流電源１０８が安定したものとして入力直流電圧Ｖ１を判定するためにＡＩＮの電圧が第１の閾値（例えば、入力直流電圧Ｖ１がＤＣ２９Ｖに相当）を上回っていたらこの外部直流電源１０８の電源系統電圧は高圧側（例えば、ＤＣ４８Ｖ）と判断し、直ちにタップ切替えリレー４をオンさせるようにリレー駆動回路７に指令し、タップ切替えリレー４の接点をノーマル開側に切り替えてタップ付き商用電源トランス３の１次巻線の中間タップｂに回路が切り替わり前記タップ付き商用電源トランス３の２次側の出力電圧が１次巻線−２次巻線の巻数比により上がり、直流電圧Ｖ２は外部直流電源１０８の電源系統電圧の高圧側（例えば、ＤＣ４８Ｖ）と同一となる電圧範囲（例えば、ＤＣ３８．９Ｖ〜ＤＣ５７．６Ｖ）となるという状態において、この安定した状態がしばらくした以降（例えば１秒以降）から前記入力直流電圧Ｖ１を監視し、もし、前記マイコン２のＡＩＮの電圧が第４の閾値（例えば、入力直流電圧Ｖ１がＤＣ５７．６Ｖに相当）を超えたり、あるいは第１の閾値を上回っているが第５の閾値（例えば、入力直流電圧Ｖ１がＤＣ３８．９Ｖに相当）を下回っている場合には、前記外部直流電源１０８の異常電圧状態と判断し、前記リレー駆動回路７により前記電源入切リレー２０をオンさせて、この電源入切リレー２０の接点を開とし、内気用ファンモーター１０５、外気用ファンモーター１０６および制御装置１０７に前記外部直流電源１０８が印加されないようにするとともに、不揮発性メモリー１に記憶されている外部直流電源１０８の電源系統電圧情報に基づき、すなわち、低圧である場合はオフするように、高圧である場合はオンするように前記タップ切替えリレー４を動作させて、前記内気用ファンモーター１０５および前記外気用ファンモーター１０６は、前記外部直流電源１０８の正常な供給時と同様な回転数で動作することができる。
【００９５】
このように、商用電源トランスの巻線にタップを設けたタップ付き商用電源トランス３のタップ切替えを自動的に行うのでタップ付き商用電源トランス３の１次巻線−２次巻線の巻数比に応じてこのタップ付き商用電源トランス３の出力電圧を変圧させることができるので、直流電圧Ｖ２が外部直流電源１０８の電源系統電圧と同一することができるので、外部直流電源１０８の電源系統電圧を正しく判断した後に、この外部直流電源１０８が異常電圧の状態になり、この外部直流電１０８を内気用ファンモーター１０５および外気用ファンモーター１０６へ印加しなくても、内気用ファンモーター１０５および外気用ファンモーター１０６に外部直流電源１０８と同一の直流電圧が印加されるので、前記内気用ファンモーター１０５および外気用ファンモーター１０６は外部直流電源１０８が印加された際の回転数と同様な回転数で動作させることができ、循環送風手段としての性能を確保できる。
【００９６】
なお、マイコン２を不揮発性メモリー１の内蔵されたタイプとして説明したが、マイコン２の外部に不揮発性メモリー１を備えても作用効果に差はない。
【００９７】
（実施の形態７）
従来例、前提例１、実施の形態１乃至実施の形態６と同一部分に付いては同一番号を付し詳細な説明を省略する。
【００９８】
図１４、図１５および図１６に示すように、図３、図５、図６および図７の構成に加えて、外部直流電源１０８の正極側電位端子１０ａと第１の逆流防止素子の間および前記外部直流電源１０８の負極側電位端子１０ｂと内気用ファンモーター１０５、外気用ファンモーター１０６および制御装置の間に電源入切手段としてのＢ接点型リレーである電源入切リレー２０を挿入し、この電源入切リレー２０はリレー駆動回路７により動作される。
【００９９】
上記構成において、外部直流電源１０８が投入され、この外部直流電源１０８の正極側対地間電圧Ｖ３が第３の抵抗器１１と第４の抵抗器１２により分圧されてマイコン２のアナログ入力端子ＡＩＮ１に印加されると同時に、前記外部直流電源１０８の負極側対地間電圧Ｖ４が第５の抵抗器１３と第６の抵抗器１４により分圧されてマイコン２のアナログ入力端子ＡＩＮ２に印加され、このマイコン２ではタイマーを走らせて数秒後（例えば、３秒）に、発熱体収納函１０１より供給される外部直流電源１０８が安定したものとして正極側対地間電圧Ｖ３を判定するためにＡＩＮ１の電圧が第２の閾値（例えば、正極側対地間電圧Ｖ３がＤＣ１．０Ｖに相当）を下回り、且つ、負極側対地間電圧Ｖ４を判定するためにＡＩＮ２の電圧が第３の閾値（例えば、負極側対地間電圧Ｖ４がＤＣ１．０Ｖに相当）を上回っていたらこの外部直流電源１０８は正極側電位が活性相である高圧（例えば、ＤＣ４８Ｖ）と判断し、直ちにタップ切替えリレー４をオンさせるようにリレー駆動回路７に指令し、タップ切替えリレー４の接点をノーマル開側に切替えタップ付き商用電源トランス３の１次巻線の中間タップｂに回路が切替わり前記タップ付き商用電源トランス３の２次側の出力電圧が１次巻線−２次巻線の巻数比により上がり、直流電圧Ｖ２は外部直流電源１０８の電源系統電圧の高圧側（例えば、ＤＣ４８Ｖ）と同一となる電圧範囲（例えば、ＤＣ３８．９Ｖ〜ＤＣ５７．６Ｖ）となるという状態において、この安定した状態がしばらくした以降（例えば１秒以降）から前記正極側対地間電圧Ｖ３および前記負極側対地間電圧Ｖ４を監視し、もし、前記マイコン２のＡＩＮ１の電圧が第２の閾値（例えば、正極側対地間電圧Ｖ３がＤＣ１．０Ｖに相当）を上回り、且つ、前記マイコン２のＡＩＮ２の電圧が第３の閾値（例えば、負極側対地間電圧Ｖ４がＤＣ１．０Ｖに相当）を上回る場合や、あるいは、前記マイコン２のＡＩＮ１の電圧が第２の閾値（例えば、正極側対地間電圧Ｖ３がＤＣ１．０Ｖに相当）を下回り、且つ、前記マイコン２のＡＩＮ２の電圧が第３の閾値（例えば、負極側対地間電圧Ｖ４がＤＣ１．０Ｖに相当）を下回る場合には、前記外部直流電源１０８の異常電圧状態と判断し、前記リレー駆動回路７により前記電源入切リレー２０をオンさせて、この電源入切リレー２０の接点を開とし、内気用ファンモーター１０５、外気用ファンモーター１０６および制御装置１０７に前記外部直流電源１０８が印加されないようにするとともに、不揮発性メモリー１に記憶されている外部直流電源１０８の電源系統電圧情報に基づき、すなわち、低圧である場合はオフするように、高圧である場合はオンするように前記タップ切替えリレー４を動作させて、前記内気用ファンモーター１０５および前記外気用ファンモーター１０６は、前記外部直流電源１０８の正常な供給時と同様な回転数で動作することができる。
【０１００】
このように、商用電源トランスの巻線にタップを設けたタップ付き商用電源トランス３のタップ切替えを自動的に行うのでタップ付き商用電源トランス３の１次巻線−２次巻線の巻数比に応じてこのタップ付き商用電源トランス３の出力電圧を変圧させることができるので、直流電圧Ｖ２が外部直流電源１０８の電源系統電圧と同一することができるので、外部直流電源１０８の電源系統電圧を正しく判断した後に、この外部直流電源１０８が異常電圧の状態になり、この外部直流電１０８を内気用ファンモーター１０５および外気用ファンモーター１０６へ印加しなくても、内気用ファンモーター１０５および外気用ファンモーター１０６に外部直流電源１０８と同一の直流電圧が印加されるので、前記内気用ファンモーター１０５および外気用ファンモーター１０６は外部直流電源１０８が印加された際の回転数と同様な回転数で動作させることができ、循環送風手段としての性能を確保できる。
【０１０１】
なお、マイコン２を不揮発性メモリー１の内蔵されたタイプとして説明したが、マイコン２の外部に不揮発性メモリー１を備えても作用効果に差はない。
【０１０２】
（実施の形態８）
従来例、前提例１、実施の形態１乃至実施の形態７と同一部分に付いては同一番号を付し詳細な説明を省略する。
【０１０３】
図１２に示すように、図１の構成に加えて発光表示手段としてのＬＥＤ２１を前記制御装置１０７に備えたものである。
【０１０４】
上記構成において、前記タップ切替えリレー４を動作させ、前記外部直流電源１０８の電源系統電圧を高圧側（例えば、ＤＣ４８Ｖ）と判断した際に、前記ＬＥＤ２１を点灯させる。
【０１０５】
このように前記外部直流電源１０８の電源系統電圧を高圧側（例えば、ＤＣ４８Ｖ）であるのか低圧側（例えば、ＤＣ２４Ｖ）であるのか認知することができる。
【０１０６】
なお、発光表示手段としてＬＥＤとしたが７セグＬＥＤや液晶表示装置を用いてもよく作用効果に差はない。また、認知手段として発光表示手段を用いたがブザーやスピーカーなどの音声発生手段を用いても作用効果に差はない。
【０１０７】
（実施の形態９）
従来例、前提例１、実施の形態１乃至実施の形態８と同一部分に付いては同一番号を付し詳細な説明を省略する。
【０１０８】
図１３に示すように、図１２の構成に加えて、制御装置１０７に通信回路２２を設けて発熱体収納函１０１との通信を行う通信線２３を備えるものである。
【０１０９】
上記構成により、前記タップ切替えリレー４を動作させ、前記外部直流電源１０８の電源系統電圧を高圧側（例えば、ＤＣ４８Ｖ）と判断した際に、同期して通信回路２２にてシリアル通信のｂｉｔ情報に変換し、例えば、外部直流電源１０８の電源系統電圧が高圧側（例えばＤＣ４８Ｖ）であれば「００」で、外部直流電源１０８の電源系統電圧が低圧側（例えばＤＣ２４Ｖ）であれば「０１」を通信線２３を介して発熱体収納函１０１に送信する。
【０１１０】
このようにして、通信回路２２を設け、発熱体収納函１０１との通信を行う通信線２３を備えたので、前記外部直流電源１０８の電源系統電圧を高圧側（例えば、ＤＣ４８Ｖ）であるのか低圧側（例えば、ＤＣ２４Ｖ）であるのか遠隔地に知らせることができる。
【０１１１】
なお、ここで、シリアル信号として２線方式としたがパラレル通信方式による情報のｂｉｔ量に応じたパラレル通信や光ファイバーを利用した通信あるいは無線を利用した無線方式でも作用効果に差はない。
【産業上の利用可能性】
【０１１２】
直流電源が複数の電源系統電圧の存在する産業機器や空調装置などの業界に於いて、直流電源を機器の動作電源として主電源とする機器に補助電源として交流電源も供給され、直流電源の供給がなく交流電源のみで動作する機器にも適用できる。
【符号の説明】
【０１１３】
１      不揮発性メモリー
２      マイコン
３      タップ付き商用電源トランス
４      タップ切替えリレー
５      第１の抵抗器
６      第２の抵抗器
７      リレー駆動回路
８      接地端子
９      大地アース
１０ａ  正極側電位端子
１１ｂ  負極側電位端子
１１    第３の抵抗器
１２    第４の抵抗器
１３    第５の抵抗器
１４    第６の抵抗器
１５    回転数検知回路
１６    シャント抵抗器
１７    電流検出回路
１８    サーミスター
１９    分圧抵抗器
２０    電源入切リレー
２１    ＬＥＤ
２２    通信回路
２３    通信線
１０１  発熱体収納函
１０２  冷却装置
１０３  熱交換器
１０４  内気循環風路
１０５  内気用ファンモーター
１０６  外気用ファンモーター
１０７  制御装置
１０８  外部直流電源
１０９  第１の逆流防止素子
１１０  発熱体収納函冷却装置用加熱装装置
１１１  電気ヒーター
１１２  外部交流電源
１１３  リレー
１１４  商用電源トランス
１１５  ダイオードブリッジ
１１６  平滑コンデンサー
１１７  第２の逆流防止素子
【図１】
0005211673.tif 000002
【図２】
0005211673.tif 000003
【図３】
0005211673.tif 000004
【図４】
0005211673.tif 000005
【図５】
0005211673.tif 000006
【図６】
0005211673.tif 000007
【図７】
0005211673.tif 000008
【図８】
0005211673.tif 000009
【図９】
0005211673.tif 000010
【図１０】
0005211673.tif 000011
【図１１】
0005211673.tif 000012
【図１２】
0005211673.tif 000013
【図１３】
0005211673.tif 000014
【図１４】
0005211673.tif 000015
【図１５】
0005211673.tif 000016
【図１６】
0005211673.tif 000017
【図１７】
0005211673.tif 000018
【図１８】
0005211673.tif 000019
【図１９】
0005211673.tif 000020
【図２０】
0005211673.tif 000021